(57)【要約】      （修正有）【課題】初期化までの時間を短縮する。【解決手段】位相補償されているセグメントが複数連結されたセグメントの位相補償を補正する補正部１５０を備え、補正部は、既知信号の位相に基づき、位相補償量を初期化するタイミングを生成するタイミング生成部１５２と、既知信号の位相に基づき、位相補償の位相補償量を補正するための補正量を生成する補正量生成部１５３と、補正量生成部により生成された補正量で、位相補償に対する位相補正を行う位相補正部１５５とを備える。本技術は、連結送信されてきたセグメントを処理する受信装置に適用できる。【選択図】図７
2015088761.tif 000002
【特許請求の範囲】
【請求項１】
位相補償されているセグメントが複数連結されたセグメントの前記位相補償を補正する補正部
を備え、
前記補正部は、
既知信号の位相に基づき、前記位相補償量を初期化するタイミングを生成するタイミング生成部と、
前記既知信号の位相に基づき、前記位相補償の位相補償量を補正するための補正量を生成する補正量生成部と、
前記補正量生成部により生成された前記補正量で、前記位相補償に対する位相補正を行う位相補正部と
を備える受信装置。
【請求項２】
前記既知信号の位相は、複数のパターンを有し、
前記タイミング生成部は、前記複数のパターンのうちの所定のパターンを検出したとき、前記初期化するタイミングを生成する
請求項１に記載の受信装置。
【請求項３】
前記既知信号は、パイロット信号であり、前記パターンは、ＳＰ（Scattered Pilot）が配置されている位置により分類されるパターンである
請求項２に記載の受信装置。
【請求項４】
前記位相補償量は、所定の周期毎に０となり、
前記タイミング生成部は、０となるタイミングを、前記所定のパターンを検出することで検出する
請求項２に記載の受信装置。
【請求項５】
前記位相補償量の前記所定の周期は、送信パラメータにより異なり、
前記タイミング生成部は、前記送信パラメータにより特定される前記所定の周期で前記位相補償量が０となるタイミングを、前記所定のパターンを検出することで検出する
請求項２に記載の受信装置。
【請求項６】
前記パラメータは、モードとガードインターバル比である
請求項５に記載の受信装置。
【請求項７】
前記連結されたセグメントは、ISDB-TmmまたはISDB-Tsbの規格に基づき連結されたセグメントである
請求項１に記載の受信装置。
【請求項８】
前記連結されたセグメントは、ISDB-TmmまたはISDB-Tsbの規格におけるタイプＢスーパーセグメントである
請求項１に記載の受信装置。
【請求項９】
位相補償されているセグメントが複数連結されたセグメントの前記位相補償を補正する補正部を備える受信装置の受信方法において、
前記補正部は、
既知信号の位相に基づき、前記位相補償量を初期化するタイミングを生成し、
前記既知信号の位相に基づき、前記位相補償の位相補償量を補正するための補正量を生成し、
前記補正量生成部により生成された前記補正量で、前記位相補償に対する位相補正を行う
ステップを含む受信方法。
【請求項１０】
位相補償されているセグメントが複数連結されたセグメントの前記位相補償を補正する補正部を備える受信装置を制御するコンピュータに、
前記補正部が、
既知信号の位相に基づき、前記位相補償量を初期化するタイミングを生成し、
前記既知信号の位相に基づき、前記位相補償の位相補償量を補正するための補正量を生成し、
前記補正量生成部により生成された前記補正量で、前記位相補償に対する位相補正を行う
処理を実行させるためのコンピュータ読み取り可能なプログラム。
【請求項１１】
位相補償されているセグメントが複数連結されたセグメントの前記位相補償を補正する補正部
を備え、
前記補正部は、
既知信号の位相に基づき、前記位相補償の位相補償量を補正するための補正量を生成する補正量生成部と、
前記補正量生成部により生成された前記補正量で、前記位相補償に対する位相補正を行う位相補正部と
を備える受信装置。
【請求項１２】
位相補償されているセグメントが複数連結されたセグメントの前記位相補償を補正する補正部を備える受信装置の受信方法において、
前記補正部は、
既知信号の位相に基づき、前記位相補償の位相補償量を補正するための補正量を生成し、
前記補正量生成部により生成された前記補正量で、前記位相補償に対する位相補正を行う
ステップを含む受信方法。
【請求項１３】
位相補償されているセグメントが複数連結されたセグメントの前記位相補償を補正する補正部を備える受信装置を制御するコンピュータに、
前記補正部が、
既知信号の位相に基づき、前記位相補償の位相補償量を補正するための補正量を生成し、
前記補正量生成部により生成された前記補正量で、前記位相補償に対する位相補正を行う
処理を実行させるためのコンピュータ読み取り可能なプログラム。
【発明の詳細な説明】
【技術分野】
【０００１】
本技術は、受信装置、受信方法、並びにプログラムに関する。詳しくは、複数のセグメントを受信し、処理する際、その処理に係る時間を短縮することができる受信装置、受信方法、並びにプログラムに関する。
【背景技術】
【０００２】
地上デジタル放送や、ケーブルテレビ放送、衛星放送等の番組放送を受信可能な放送受信装置が知られている。また、ISDB-Tmm（Integrated Services Digital Broadcasting for Terrestrial Multi-Media Broadcasting）方式のモバイルマルチメディア放送も開始されている。
【０００３】
ISDB-Tmmでは、地上マルチメディア放送に割り当てられた周波数帯域（ＶＨＦ帯の２０７．５ＭＨｚ〜２２２ＭＨｚ）は３３のセグメントにより構成されている。このとき各セグメントの間はガードバンドによる分離はされておらず、３３セグメントの信号が連結され、セグメント連結送信信号として放送用送信局より送信される。
【０００４】
また、３３セグメント内には、タイプＡスーパーセグメントと呼ばれる１３セグメント形式によるスーパーセグメントが２つと、タイプＢスーパーセグメントと呼ばれる１セグメント形式によるスーパーセグメントが配置されている。（例えば、特許文献１参照）
【先行技術文献】
【特許文献】
【０００５】
【特許文献１】特開２０１３−１５６１６２号公報
【発明の概要】
【発明が解決しようとする課題】
【０００６】
複数のセグメントが連結されて送信される際、中心周波数差に対する位相補償が行われる。受信側では、連結送信されてきたセグメントのそれぞれに対して、位相補償を補正する処理が行われる。この補正の初期化のタイミングを設定するとき、TMCC（Transmission Multiplexing Configuration Control）の同期ワードがｗ０となるフレームの先頭シンボルにおいて、位相回転量を０とする方法がある。
【０００７】
しかしながら、TMCCの情報に基づくと、TMCC情報をデコードしてフレーム先頭シンボルの同期ワードを調べる必要があるため、またTMCCのデコードには、少なくとも１フレーム分の情報が必要であるため、初期化を開始するまでに時間がかかってしまう可能性があった。そこで初期化までに係る時間を短縮することが望まれている。
【０００８】
本技術は、このような状況に鑑みてなされたものであり、複数のセグメントを処理する際、初期化までにかかる時間を短縮することができるようにするものである。
【課題を解決するための手段】
【０００９】
本技術の一側面の第１の受信装置は、位相補償されているセグメントが複数連結されたセグメントの前記位相補償を補正する補正部を備え、前記補正部は、既知信号の位相に基づき、前記位相補償量を初期化するタイミングを生成するタイミング生成部と、前記既知信号の位相に基づき、前記位相補償の位相補償量を補正するための補正量を生成する補正量生成部と、前記補正量生成部により生成された前記補正量で、前記位相補償に対する位相補正を行う位相補正部とを備える。
【００１０】
前記既知信号の位相は、複数のパターンを有し、前記タイミング生成部は、前記複数のパターンのうちの所定のパターンを検出したとき、前記初期化するタイミングを生成するようにすることができる。
【００１１】
前記既知信号は、パイロット信号であり、前記パターンは、ＳＰ（Scattered Pilot）が配置されている位置により分類されるパターンであるようにすることができる。
【００１２】
前記位相補償量は、所定の周期毎に０となり、前記タイミング生成部は、０となるタイミングを、前記所定のパターンを検出することで検出するようにすることができる。
【００１３】
前記位相補償量の前記所定の周期は、送信パラメータにより異なり、前記タイミング生成部は、前記送信パラメータにより特定される前記所定の周期で前記位相補償量が０となるタイミングを、前記所定のパターンを検出することで検出するようにすることができる。
【００１４】
前記パラメータは、モードとガードインターバル比であるようにすることができる。
【００１５】
前記連結されたセグメントは、ISDB-TmmまたはISDB-Tsbの規格に基づき連結されたセグメントであるようにすることができる。
【００１６】
前記連結されたセグメントは、ISDB-TmmまたはISDB-Tsbの規格におけるタイプＢスーパーセグメントであるようにすることができる。
【００１７】
本技術の一側面の第１の受信方法は、位相補償されているセグメントが複数連結されたセグメントの前記位相補償を補正する補正部を備える受信装置の受信方法において、前記補正部は、既知信号の位相に基づき、前記位相補償量を初期化するタイミングを生成し、前記既知信号の位相に基づき、前記位相補償の位相補償量を補正するための補正量を生成し、前記補正量生成部により生成された前記補正量で、前記位相補償に対する位相補正を行うステップを含む。
【００１８】
本技術の一側面の第１のプログラムは、位相補償されているセグメントが複数連結されたセグメントの前記位相補償を補正する補正部を備える受信装置を制御するコンピュータに、補正部が、前記既知信号の位相に基づき、前記位相補償量を初期化するタイミングを生成し、前記既知信号の位相に基づき、前記位相補償の位相補償量を補正するための補正量を生成し、前記補正量生成部により生成された前記補正量で、前記位相補償に対する位相補正を行う処理を実行させるためのコンピュータ読み取り可能なプログラムである。
【００１９】
本技術の一側面の第１の受信装置、第１の受信方法、並びに第１のプログラムにおいては、位相補償されているセグメントが複数連結されたセグメントの位相補償を補正する補正部が備えられ、その補正部は、既知信号の位相に基づき、位相補償量を初期化するタイミングを生成し、既知信号の位相に基づき、位相補償の位相補償量を補正するための補正量を生成し、生成された補正量で、位相補償に対する位相補正を行う。
【００２０】
本技術の一側面の第２の受信装置は、位相補償されているセグメントが複数連結されたセグメントの前記位相補償を補正する補正部を備え、前記補正部は、既知信号の位相に基づき、前記位相補償の位相補償量を補正するための補正量を生成する補正量生成部と、前記補正量生成部により生成された前記補正量で、前記位相補償に対する位相補正を行う位相補正部とを備える。
【００２１】
本技術の一側面の第２の受信方法は、位相補償されているセグメントが複数連結されたセグメントの前記位相補償を補正する補正部を備える受信装置の受信方法において、前記補正部は、既知信号の位相に基づき、前記位相補償の位相補償量を補正するための補正量を生成し、前記補正量生成部により生成された前記補正量で、前記位相補償に対する位相補正を行うステップを含む。
【００２２】
本技術の一側面の第２のプログラムは、位相補償されているセグメントが複数連結されたセグメントの前記位相補償を補正する補正部を備える受信装置を制御するコンピュータに、前記補正部が、既知信号の位相に基づき、前記位相補償の位相補償量を補正するための補正量を生成し、前記補正量生成部により生成された前記補正量で、前記位相補償に対する位相補正を行う処理を実行させるためのコンピュータ読み取り可能なプログラムである。
【００２３】
本技術の一側面の第２の受信装置、第２の受信方法、並びに第２のプログラムにおいては、位相補償されているセグメントが複数連結されたセグメントの位相補償を補正する補正部が備えられ、その補正部は、既知信号の位相に基づき、位相補償の位相補償量を補正するための補正量を生成し、生成された補正量で、位相補償に対する位相補正を行う。
【発明の効果】
【００２４】
本技術の一側面によれば、複数のセグメントを処理する際、初期化までにかかる時間を短縮することができる。
【００２５】
なお、ここに記載された効果は必ずしも限定されるものではなく、本開示中に記載されたいずれかの効果であってもよい。
【図面の簡単な説明】
【００２６】
【図１】本技術が適用される受信装置を含む送受信システムの一実施の形態の構成を示す図である。
【図２】送受信されるセグメントの構成を示す図である。
【図３】位相補償について説明するための図である。
【図４】位相補償の周期をまとめた図である。
【図５】初期化タイミングについて説明するための図である。
【図６】初期化タイミングについて説明するための図である。
【図７】本技術を適用した設定部の一実施の形態の構成を示す図である。
【図８】設定部の動作について説明するための図である。
【図９】設定部の処理について説明するためのフローチャートである。
【図１０】本技術を適用した設定部の他の構成を示す図である。
【図１１】設定部の他の処理について説明するためのフローチャートである。
【図１２】記録媒体について説明するための図である。
【発明を実施するための形態】
【００２７】
以下に、本技術を実施するための形態（以下、実施の形態という）について説明する。なお、説明は、以下の順序で行う。
１．送信装置と受信装置の構成
２．初期化のタイミングの設定
３．設定部の構成
４．設定部の動作
５．初期化のタイミングの設定に係わる処理
６．初期化のタイミングの他の設定に係わる設定部の構成と処理
７．記録媒体について
【００２８】
＜送信装置と受信装置の構成＞
以下に説明する本技術は、複数のセグメントを受信し、処理する受信装置に適用できるため、そのような受信装置を例に挙げて説明する。図１は、本技術が適用される受信装置を含む送受信システムの一実施の形態の構成を示す図である。図１に示した送受信システムは、後述する説明に必要な部分を図示した図であり、簡略化して図示してある。
【００２９】
図１に示した送受信システムは、複数のセグメントを同タイミングで送信し、その送信された複数のセグメントを受信し、処理するシステムである。ここでは、７個のセグメントが送受信され、処理される例を挙げて説明を続ける。また、これらの７個のセグメントは、連結されて送信されるとし、適宜、連結送信と記述する。また、連結送信にて送信された７個のセグメントを受信し、処理することを、適宜、連結受信と記述する。
【００３０】
この７個のセグメントは、図２を参照して後述するように、ISDB-Tmm（Integrated Services Digital Broadcasting for Terrestrial Multi-Media Broadcasting）において送受信されるタイプＢスーパーセグメントと称されるセグメントとすることができるため、ここでは、７個の例を挙げて説明を行う。
【００３１】
図１に示した送受信システムのうち、送信装置に該当する部分は、ＩＦＦＴ（Inverse Fast Fourier Transform）部１０１、ＧＩ（Guard Interval）挿入部１０２、アップコンバータ部１０３を含み、受信装置に該当する部分は、ＦＦＴ（Fast Fourier Transform）部１２１、ＧＩ除去部１２２、およびダウンコンバータ部１２３を含む。
【００３２】
ＩＦＦＴ部１０１には、連結送信するセグメント１１０−１乃至１１０−７が入力される。セグメント１１０−１乃至１１０−７は、それぞれワンセグメント（1 segment）である。セグメントが連結され、連結ＯＦＤＭセグメントとされる際、中心周波数差に対する位相補償などが行われ、そのような位相補償された後、ＩＦＦＴ部１０１に入力される。
【００３３】
ＩＦＦＴ部１０１において、連結ＯＦＤＭセグメントがＩＦＦＴ演算によりＯＦＤＭ信号に変換され、ＧＩ挿入部１０２において、ガードインターバルが付加されてＯＦＤＭ送信信号に変換される。そして、アップコンバータ部１０３で決められた周波数のデジタル放送送信信号に変換され、図示していないアンプなどで増幅された後、アンテナで送信される。
【００３４】
送信側から送信された信号は、受信側で、図示してないアンテナにより受信され、ダウンコンバータ部１２３に供給される。ダウンコンバータ部１２３により、受信機側で扱う周波数に周波数変換された後、ＧＩ除去部１２２によりガードインターバルが除去される。
【００３５】
ＦＦＴ部１２１は、ＯＦＤＭ信号にＦＦＴ演算を施し、連結ＯＦＤＭセグメントを抽出する。連結ＯＦＤＭセグメントのそれぞれのセグメントに対して、位相補償などの処理が施されることで、この場合、７個のセグメント（シンボル）が取得される。
【００３６】
ここで、送受信される連結ＯＦＤＭセグメントについて説明を加える。ISDB-Tmmにおいては、図２に示すような構成を有するセグメントが送受信されることが規定され、図３に示すような位相補償が規定されている。
【００３７】
図２を参照する。デジタル放送送信信号のＯＦＤＭセグメントは、
(1)地上デジタルテレビジョン放送の伝送方式に準拠した１３セグメント形式のＯＦＤＭセグメント(タイプＡスーパーセグメント)
(2)地上デジタル音声放送の伝送方式に準拠した１セグメント形式のＯＦＤＭセグメントを１４個以下で連結したもの（タイプＢスーパーセグメント）
を連結して(以下、連結ＯＦＤＭセグメント)構成される。
【００３８】
ISDB-Tmmでは、１３セグメント形式を１つ以上含んで送信することが規定されている。また連結送信されるセグメントの数は、最大で３３セグメントとなるため、３３セグメントで連結送信することを想定すると、図２Ａ乃至Ｃに示したように、最大２つの１３セグメント形式を含んで送信される可能である。
【００３９】
図２Ａに示した配置パターンは、タイプＡスーパーセグメントの間にタイプＢスーパーセグメントが配置されているパターンである。図２Ｂに示した配置パターンは、タイプＢスーパーセグメントの後に、タイプＡスーパーセグメントが連続して配置されているパターンである。図２Ｃに示した配置パターンは、タイプＡスーパーセグメントが連続して配置された後に、タイプＢスーパーセグメントが配置されているパターンである。
【００４０】
このようなセグメントの配置パターンである場合、タイプＢスーパーセグメントは、１セグメント形式のセグメントが、７個連結された状態で送受信される。なお、ここで示した例は、７個連結された状態で送受信される場合を例示したが、７個連結されていなくても良く、分散された配置パターンで送受信される可能性もある。
【００４１】
このように、ISDB-Tmmにおいては、１セグメント形式のセグメントが７個送信され、受信される可能性がある。図１に示した送受信システムでは、このようなISDB-Tmmにおいて連結送信されてきた１セグメント形式の複数のセグメントを処理することができる。
【００４２】
１セグメント形式の７個のセグメントが連結送信される際、中心周波数差に対する位相補償が行われる。ISDB-Tmmの連結送信のベースバンド信号の直流成分に対応するRF周波数（ft）と復調するセグメントのRF中心周波数（fr）の差に応じて決められる位相回転をシンボル毎に施して送信される。
【００４３】
図３は、中心周波数の差f(fr-ft)をセグメントの個数で規定し、位相回転補償量を定義した表の一部である。この表は、セグメント連結伝送方式による地上マルチメディア放送の伝送方式  標準規格  ARIB STD-B46 1.2版に記載されている。
【００４４】
図３に示すように、位相補償量は、モードとガードインターバル比により異なる。モードは、モード１、モード２、モード３の３つのモードがある。またガードインターバル比は、1/32、1/16、1/8、1/4の４つの比が規定されている。各モードと各ガードインターバル比との組み合わせは、８シンボル周期、４シンボル周期、２シンボル周期、補償なしに分類できる。
【００４５】
例えば、モードがモード１とガードインターバル比が1/32の組み合わせは、８シンボル周期である。図３を参照するに、0,3/8,2/4,1/8,1/2,7/8,1/4,5/8の順で遷移し、８シンボル目で0に戻るという８シンボル周期となっていることが読み取れる。
【００４６】
同様に、モードがモード１とガードインターバル比が1/16の組み合わせは、４シンボル周期である。図３を参照するに、0,3/4,1/2,1/4の繰り返しとなり、４シンボル毎の繰り返しとなっていることが読み取れる。
【００４７】
同様に、モードがモード１とガードインターバル比が1/8の組み合わせは、２シンボル周期である。図３を参照するに、0,1/2の繰り返しとなり、２シンボル毎の繰り返しとなっていることが読み取れる。モードがモード１とガードインターバル比が1/4の組み合わせは、補償なしである。
【００４８】
他のモードについては記載しないが、他のモードも、４シンボル周期、２シンボル周期、または補償なしに分類される。すなわち、位相補償量は、８，４、２または補償なしのいずれかに分類できる。図４に、このようなシンボルの周期に注目して、図3に示した位相補償量の表を書き直した表を示す。
【００４９】
図４に示した表は、縦方向にモードを配置し、横方向に、ガードインターバル比を配置し、交わる部分に周期を表す数値を記載した表である。縦方向に配置したモードは、上から順に、モード１、モード２、モード３である。横方向に配置したガードインターバル比は、左側から順に、ＧＩ３２（図３の表ではガードインターバル比1/32に該当）、ＧＩ１６（1/16）、ＧＩ８（1/8）、ＧＩ４（1/4）である。
【００５０】
例えば、モード１のＧＩ３２の交わるところを見ると“８”との数値があり、モード１のガードインターバル比が1/32のときの位相補償量は、８シンボル周期であることを表している。同様に、モード１のＧＩ１６のときの位相補償量は、４シンボル周期であり、モード１のＧＩ１８のときの位相補償量は、２シンボル周期である。
【００５１】
モード２のＧＩ３２のときの位相補償量は、４シンボル周期であり、モード２のＧＩ１６のときの位相補償量は、２シンボル周期である。モード３のＧＩ３２のときの位相補償量は、２シンボル周期である。その他の部分は、補償なしであり、表中では、“−”で表してある。
【００５２】
このように、モードとガードインターバル比というパラメータに依存して決定される、位相補償量の周期は、図４に示したような関係にある。
【００５３】
＜初期化のタイミングの設定＞
ところで、ISDB-TmmやISDB-Tsb（ISDB for Terrestrial Sound Broadcasting）で連結送信された信号は、セグメントに応じて、シンボル毎に送信側で位相補償が行われているため、受信側では、その位相補償に対応する補正を行う必要がある。例えば、フレームの先頭シンボルにおいて、位相回転量を０とするための補正が行われる。
【００５４】
ISDB-Tmmにおいては、この補正に関して、以下のような規定がある。
「送信側の位相回転周期は、最長の場合、８シンボル周期となり、累積の位相差は２フレームで２ｎπとなる。このため、TMCCの同期ワードがｗ０となるフレームの先頭シンボルにおいて位相回転量を０と規定する。」
【００５５】
このような規定は、セグメント連結伝送方式による地上マルチメディア放送の伝送方式  標準規格  ARIB STD-B46 1.2版に記載されている。
【００５６】
このような規定に基づき、フレームの先頭シンボルの位相回転量を０と設定する場合について、図５を参照して説明する。
【００５７】
図５の上段は、シンボル番号を表し、各四角形は、セグメントを表し、セグメント内の数値は、シンボル番号を表す。図５の下段の横線の上側は、送信側の位相補償量を表し、下側は補正量を表す。１フレームが２０４個のシンボルで構成されている場合、図５の上段に示したように、シンボル番号が０乃至２０３のセグメントで１フレームが構成され、その後、シンボル番号が０に戻り、次のフレームを構成するセグメントが順次処理される。
【００５８】
また、図４を参照して説明したように、モードとガードインターバル比などのパラメータに依存する位相補償量の周期が、４シンボル周期の場合、図５の下段の横線の上に示したように、位相が変化する。例えば、シンボル番号が０のシンボルは、０度であり、１のシンボルは、９０度であり、２のシンボルは、１８０度であり、３のシンボルは、２７０度であり、４のシンボルは、０度に戻るという周期である。
【００５９】
TMCC（Transmission Multiplexing Configuration Control）の同期ワードがｗ０となるフレームの先頭シンボルにおいて、位相回転量を０とするとの規定に基づくと、TMCC情報をデコードしてフレーム先頭シンボルの同期ワードを調べる必要がある。またTMCCのデコードには、少なくとも１フレーム分の情報が必要である。
【００６０】
１フレームが、２０４シンボルと規定されている場合、図５に示すように、シンボル番号として、０乃至２０３の２０４個のセグメントが取得された時点で、TMCCのフレームの先頭が設定され、初期化のタイミングとされる。この初期化のタイミングの後、図５の下段に示したように、補正量が生成される。補正量にて回転補正されることで、位相回転量が０に補正される。
【００６１】
すなわちこのような場合、２０４個のシンボルを得た時点で初めて初期化のタイミングを得ることができる。このような処理では、初期化のタイミングが決定するまでに時間がかかってしまい、同期までの時間がかかってしまう可能性がある。
【００６２】
また、図１に示したように、２０４個のシンボルを取得して初期化のタイミングを設定する必要がある。
【００６３】
このように、連結された複数のセグメントを受信し、処理する場合、それぞれのセグメントにおいて、初期化のタイミングを設定する必要があり、各セグメントの初期化のタイミングは、１フレーム分の情報が取得された後に設定されるため、その設定までの時間が長くなってしまう可能性がある。そこで、図６以降を参照して説明するように、既知の信号を用いて、初期化のタイミングを設定する。
【００６４】
図６の上段は、図５の上段と同じく、シンボル番号を示している。図６の中段は、図５の下段と同じく、横線の上側は、送信側の位相補償量を表し、下側は補正量を表す。図６の下段は、パイロット信号を表す。
【００６５】
図６の下段に示したパイロット信号配置例において、白丸はデータキャリアであり、黒丸は分散的に配置されたパイロットキャリア（SP:Scattered Pilot）である。図６に示したパイロット信号の配置は、４パターンある。縦方向に配置されている５つのキャリアを抽出したとき、パターン０は、ＳＰ位相０という位置に記載したように、一番上の第１キャリアと、一番下の第５キャリアにパイロットキャリアが配置されているパターンである。
【００６６】
パターン１は、ＳＰ位相１という位置に記載したように、上から４番目の第４キャリアにパイロットキャリアが配置されているパターンである。パターン２は、ＳＰ位相２という位置に記載したように、上から３番目の第３キャリアにパイロットキャリアが配置されているパターンである。パターン３は、ＳＰ位相３という位置に記載したように、上から２番目の第２キャリアにパイロットキャリアが配置されているパターンである。
【００６７】
このように、パターン０乃至４がある場合、このパターンを識別することで、初期化のタイミングを設定することができる。ここでは、パターン０を用いて初期化のタイミングを設定するとする。
【００６８】
図６に示したように、パターン０が検出されたときを初期化のタイミングとする。ここで、再度図４を参照する。図４は、パラメータと周期の関係を示した表であった。位相補正を必要とする周期は８シンボル周期、４シンボル周期、２シンボル周期のときである。
【００６９】
例えば、位相補償量の４シンボル周期は、４シンボル周期で位相が０に戻る。この位相補償量の４シンボル周期と、図６を参照して説明したパイロット配置のパターン０乃至４を対応させる。例えば、位相補償量の４シンボル周期のうちの１シンボル目の位相補償量が、パイロット配置のパターン０に対応し、２シンボル目がパターン１に対応し、３シンボル目がパターン２に対応し、４シンボル目がパターン３に対応しているとする。
【００７０】
このような対応関係が満たされるとき、パターン０が検出されたとき、４シンボル周期の内の１シンボル目であると判定でき、パターン１が検出されたとき、４シンボル周期の内の２シンボル目であると判定でき、パターン２が検出されたとき、４シンボル周期の内の３シンボル目であると判定できパターン３が検出されたとき、４シンボル周期の内の４シンボル目であると判定できる。
【００７１】
また、４シンボル周期内の１シンボル目の位相は、図６の中段を参照するに、例えば、シンボル番号“０”に該当する位相であり、“０”である。すなわちこの場合、回転補正する必要が無く、このような補正する必要のないシンボルを、パイロット配置のパターンから検出することができる。
【００７２】
このようなパイロットの配置の４パターンは、位相補償量が２シンボル周期のときにも割り当てることができる。２シンボル周期の場合、２シンボル周期で位相が０に戻る。この２シンボル周期と、図６を参照して説明したパターン０乃至４を対応させる。例えば、位相補償量の４シンボル周期のうちの１シンボル目の位相補償量が、パイロット配置のパターン０またはパターン２に対応し、２シンボル目がパターン１またはパターン３に対応しているとする。
【００７３】
このような対応関係が満たされるとき、パイロット配置のパターン０またはパターン２が検出されたとき、位相補償量の２シンボル周期の内の１シンボル目であると判定できる。すなわち、４シンボル周期の場合と同じく、２シンボル周期の場合も、パターン０またはパターン２が検出されたとき、位相補正量は０であり、その時を初期化のタイミング（同期のタイミング）として設定することができる。
【００７４】
ここでは、位相補正を必要する周期として８シンボル周期もあるが、パイロット配置のパターンは４パターンである。２シンボル周期や８シンボル周期の場合と同様に考えると、８シンボル周期内の１シンボル目をパターン０に対応させ、２シンボル目をパターン１に対応させ、３シンボル目をパターン２に対応させ、４シンボル目をパターン３に対応させることが考えられる。
【００７５】
そして、８シンボル周期の場合、さらに、５シンボル目をパターン０に対応させ、６シンボル目をパターン１に対応させ、７シンボル目をパターン２に対応させ、８シンボル目をパターン３に対応させる必要がある。
【００７６】
このように対応させた場合、８シンボル周期のうちの１シンボル目と５シンボル目が、パターン０に対応していることになる。よって、パイロット配置のパターン０を検出したときに、位相補償量の８シンボル周期のうちの１シンボル目が検出されたことになるのか、５シンボル目が検出されたことになるのか、正しく判断することができない可能性がある。
【００７７】
よって、位相補償が８シンボル周期に該当する場合には、パイロット配置のパターンを検出することで初期化（同期）のタイミングを正確に設定することはできない可能性があるため、上記したように、TMCCの情報を用いて初期化のタイミングが設定される。
【００７８】
または、位相補償が８シンボル周期である場合には、パイロット配置のパターン０を検出したときに、８シンボル周期のうちの１シンボル目が検出されたとして処理する系と、５シンボル目が検出されたとして処理する系の２系統の処理を行い、正しく処理できた系の情報を選択して、処理を継続するような構成を取ることも可能である。
【００７９】
このように、本技術によれば、パイロット配置のパターンを検出することで、初期化のタイミングが設定されるため、初期化のタイミングを設定するまでの時間を大幅に短縮することができる。図６に示した例では、シンボル番号４のシンボルが処理されているときに、パイロット配置のパターン０が検出され、その時点が初期化のタイミングとして設定された場合を示している。初期化のタイミングとして設定された後の時点では、回転補正量が算出され、回転補正がされる。
【００８０】
図６に示した例と、図５に示した例を比較する。図５に示した例では、シンボル番号０乃至２０３の２０４個のシンボルが処理されたときに、初期化のタイミングが設定されるのに対し、図６に示した例では、シンボル番号０乃至４の５個のシンボルが処理されたときに、初期化のタイミングが設定される。
【００８１】
このように、パイロット配置のパターンを検出して、初期化のタイミングを設定する方が、TMCCの情報を用いて初期化のタイミングを設定するよりも、早い段階で初期化のタイミングを設定できる。すなわち、本技術によれば、初期化（同期）のタイミングを設定するまでに係る時間を大幅に短縮することができる。
【００８２】
なお、図６に示した例では、シンボル番号が４のシンボルが処理されたとき、パイロット配置のパターン０が検出され、初期化のタイミングが設定される場合を例に挙げたが、シンボル番号が０のシンボルが処理されたときに、パイロット配置のパターン０が検出され、その時点で、初期化のタイミングが設定されるようにすることも可能である。
【００８３】
またここでは、既知の信号として、パイロット信号を用いた場合を例に挙げて説明を続けるが、パイロット信号以外の信号を用いても良い。既知の信号としては、その信号の位相が、上記したパターン０乃至４のように、複数のパターンを有していれば、本技術の既知信号として用いることができる。
【００８４】
＜設定部の構成＞
このような初期化のタイミングを設定し、位相補正を行う補正部の構成について説明する。図７は、補正部１５０の一実施の形態の構成を示す図である。図７に示した補正部１５０は、上記したように、位相補償されているセグメントが複数連結された状態で連結送信されてきた各セグメントの位相補償を補正する補正部である。補正部１５０は、ＦＦＴ部１２１におけるＦＦＴ処理が施された信号が入力される。
【００８５】
補正部１５０は、ＳＰ位相検出部１５１、初期化タイミング生成部１５２、補正位相生成部１５３、セグメント情報生成部１５４、および位相回転補正部１５５を含む構成とされている。
【００８６】
ＦＦＴ部１２１から出力された周波数領域でのセグメントは、ＳＰ位相検出部１５１と位相回転補正部１５５に供給される。ＳＰ位相検出部１５１は、図６を参照して説明したように、パイロット信号のパイロット配置のパターンを検出する。
【００８７】
初期化タイミング生成部１５２は、初期化のタイミングのときにオンとされるフラグを生成する。初期化タイミング生成部１５２には、図示していない処理部から、モードやガードインターバル比といった送信パラメータの情報も供給される。モードやガードインターバル比の情報は、ＦＦＴ部１２１より前の時間領域での処理で検出されている。その検出されている情報が、初期化タイミング生成部１５２に供給される。
【００８８】
初期化タイミング生成部１５２は、モードとガードインターバル比から位相補償量の周期を判定し、ＳＰ位相検出部１５１から供給されるパイロット配置のパターンが、パターン０乃至３のうちのどのパターンであるかを判定することで、初期化のタイミングを設定する。
【００８９】
すなわち、初期化タイミング生成部１５２は、上記したように、位相補償量の周期が、例えば、４シンボル周期であると判定し、パイロット配置のパターンがパターン０であると判定した場合、初期化のタイミングであると判定し、フラグをオンにする。
【００９０】
このように、初期化タイミング生成部１５２は、パイロット信号という既知の信号の位相に基づき、取得されたセグメントの位相補償量を初期化するタイミングを生成する。また既知の信号の位相は、複数のパターンを有し、初期化タイミング生成部１５２は、複数のパターンのうちの所定のパターンを検出することで初期化のタイミングを生成する。この所定のパターンは、位相補償量が０となるタイミングとすることができる。
【００９１】
補正位相生成部１５３は、図３や図４を参照して説明したパラメータ（モードやインターバル比）毎に移相量が異なるため、その値をセットして適切な回転をかけるための補正量を生成する。パラメータを知るために、補正位相生成部１５３にも、図示していない処理部から、モードやガードインターバル比の情報が供給される。
【００９２】
セグメント情報生成部１５４は、セグメント固有の番号であり、中心からの位置を表す番号を生成する。
【００９３】
位相回転補正部１５５は、ＦＦＴ部１２１からのシンボルを補正位相生成部１５３からの補正量分だけ位相回転した補正を行う。
【００９４】
＜設定部の動作＞
図８を参照して、補正部１５０の動作についてさらに説明を加える。図８の上部に記載してある、＃０，＃１、＃２，＃３，＃４は、それぞれシンボル番号を表す。図８Ａは、図７中、“Ａ”と記載されている位置で観測されるデータを示しており、ＦＦＴ部１２１からＳＰ位相検出部１５１と位相回転補正部１５５に供給されるセグメントを示している。
【００９５】
図８Ｂは、図７中、“Ｂ”と記載されている位置で観測されるデータを示しており、ＳＰ位相検出部１５１から出力され、初期化タイミング生成部１５２に供給されるデータを表している。図８Ｃは、図７中、“Ｃ”と記載されている位置で観測されるデータを示しており、初期化タイミング生成部１５２から出力され、補正位相生成部１５３に供給されるデータを表している。
【００９６】
図８Ｄは、図７中、“Ｄ”と記載されている位置で観測されるデータを示しており、セグメント情報生成部１５４から出力され、補正位相生成部１５３に入力されるデータを表している。図８Ｅは、図７中、“Ｅ”と記載されている位置で観測されるデータを示しており、補正位相生成部１５３から出力され、位相回転補正部１５５に入力されるデータを表している。
【００９７】
図８Ｆは、図７中、“Ｆ”と記載されている位置で観測されるデータを示しており、補正位相生成部１５３から出力され、位相回転補正部１５５に入力されるデータを表している。図８を参照した説明は、位相補償量の周期が４シンボル周期である場合を例に挙げた説明とする。
【００９８】
図８Ａを参照する。図８Ａは、ＦＦＴ部１２１から出力され、ＳＰ位相検出部１５１と位相回転補正部１５５に供給されるセグメントを表しており、各四角は１セグメントを表し、各四角内の数字は、位相補償量を表す。この場合、７個のセグメントが連結送信されてくる場合を例に挙げて説明しているため、シンボル番号＃０のときに、処理されるセグメントは７個である。これら７個のセグメントが、それぞれ処理される。
【００９９】
シンボル番号＃０の各セグメントの位相補償量は、“０”である。このとき、ＳＰ位相検出部１５１は、パイロット配置のパターンとして、パターン０を検出する。よって、図８Ｂに示すように、ＳＰ位相検出部１５１は、“０”を表すデータを、初期化タイミング生成部１５２に出力する。
【０１００】
初期化タイミング生成部１５２には、図示していない処理部から、モードやガードインターバル比に関する情報（パラメータに関する情報）が与えられているため、この場合、位相補償量の周期は、４シンボル周期であることを認識している。初期化タイミング生成部１５２は、４シンボル周期であり、パターン０が入力されたことに対応し、図８Ｃに示したように、フラグを立てた信号を補正位相生成部１５３に出力する。
【０１０１】
このような処理が行われている一方で、セグメント情報生成部１５４は、図８Ｄに示すようなセグメント情報を生成し、補正位相生成部１５３に供給する。セグメント情報は、図８Ｄに示したように、７個のセグメントうちの中心に位置するセグメントを“０”とし、その中心から、図中左右方向に、１（−１），２（−２），３（−３）を割り当てたデータである。すなわち、図８Ｄ中、左から順に、３，２，１,０，―１，―２，―３が割り当てられたデータである。
【０１０２】
補正位相生成部１５３には、シンボル番号＃０のセグメントが処理対象とされているとき、図８Ｃと図８Ｄに示したデータが供給される。補正位相生成部１５３は、初期化タイミング生成部１５２からのフラグが立っているため、初期化のタイミングであることを認識し、初期化のためのデータを出力する。すなわちこの場合、図８Ｅに示したように、各セグメントの補正量として０が設定されたデータが生成され、位相回転補正部１５５に出力される。
【０１０３】
位相回転補正部１５５には、図８Ａに示したセグメントのシンボルと、図８Ｅに示した補正量が供給される。位相回転補正部１５５は、図８Ａに示した各セグメントのシンボルを、図８Ｅに示したデータを補正量として、回転補正して、出力する。出力されるシンボルは、図８Ｆに示すように、回転補正がされた結果、位相補償量が０となったシンボルである。
【０１０４】
シンボル番号＃０のセグメントが処理された後、シンボル番号＃１のセグメントが処理される。シンボル番号＃１のセグメントは、図８Ａのシンボル番号＃１のところに示すように、７個のセグメントのうちの中央のセグメントを基準として、φ（−φ），２φ（−２φ），３φ（−３φ）の位相補償量を有するセグメントである。すなわち、図８Ａ中、左から順に、−３φ，−２φ，−φ，０，φ，２φ，３φの位相補償量を有するセグメントである。
【０１０５】
このとき、ＳＰ位相検出部１５１は、パイロット配置のパターンとして、パターン１を検出する。よって、図８Ｂに示すように、ＳＰ位相検出部１５１は、“１”を表すデータを、初期化タイミング生成部１５２に出力する。
【０１０６】
初期化タイミング生成部１５２は、位相補償量が、４シンボル周期であることを認識している。初期化タイミング生成部１５２は、４シンボル周期であり、パターン１が入力されたことに対応し、図８Ｃに示したように、フラグを下げた信号を補正位相生成部１５３に出力する。
【０１０７】
このような処理が行われている一方で、セグメント情報生成部１５４は、図８Ｄに示すようなセグメント情報を生成し、補正位相生成部１５３に供給する。セグメント情報は、シンボル番号＃０が処理されているときと同じく、図８Ｄに示したように、７個のセグメントうちの中心に位置するセグメントが“０”とされたデータであり、図８Ｄ中、左から順に、３，２，１,０，―１，―２，―３が割り当てられたデータである。連結された７個のセグメントが処理されるときには、このようなデータが、セグメント情報生成部１５４から出力される。
【０１０８】
補正位相生成部１５３には、シンボル番号＃１のセグメントが処理対象とされているとき、図８Ｃと図８Ｄに示したデータが供給される。補正位相生成部１５３は、初期化タイミング生成部１５２からのフラグが下がっているため、初期化のタイミングではないことを認識し、位相補償量を補正するための補正量を出力する。すなわちこの場合、図８Ｅに示したように、図中左から順に、３φ、２φ、φ、０、−φ、−２φ、−３φという補正量が生成され、位相回転補正部１５５に出力される。
【０１０９】
この補正量は、セグメント情報生成部１５４からのセグメント情報にφを乗算した値として求めることができる。また、このφという値は、パイロット配置がパターン１であることが検出されており、ＳＰ位相検出部１５１から、図８Ｂに示すように“１”という情報が出力されているため、この１とφを乗算した値として算出することができる。
【０１１０】
この場合、図８Ｄに示すように、セグメント情報生成部１５４からのセグメント情報は、３，２，１，０，−１，−２，−３である。これらにφを乗算すると、３φ，２φ，φ，０，−φ，−２φ，−３φとなり、図８Ｅに示した補正量となる。
【０１１１】
位相回転補正部１５５には、図８Ａに示したセグメントのシンボルと、図８Ｅに示した補正量が供給される。位相回転補正部１５５は、図８Ａに示した各セグメントのシンボルを、図８Ｅに示したデータを補正量として、回転補正して、出力する。出力されるシンボルは、図８Ｆに示すように、回転補正がされた結果、位相補償量が０となったシンボルである。
【０１１２】
シンボル番号＃１のセグメントが処理された後、シンボル番号＃２のセグメントが処理される。シンボル番号＃２のセグメントは、図８Ａのシンボル番号＃２のところに示すように、図８Ａ中、左から順に、−２φ，０，−２φ，０，２φ，０，２φの位相補償量を有するセグメントである。
【０１１３】
このとき、ＳＰ位相検出部１５１は、パイロット配置のパターンとして、パターン２を検出する。よって、図８Ｂに示すように、ＳＰ位相検出部１５１は、“２”を表すデータを、初期化タイミング生成部１５２に出力する。
【０１１４】
初期化タイミング生成部１５２は、位相補償量が、４シンボル周期であり、パターン２が入力されたことに対応し、図８Ｃに示したように、フラグを下げた信号を補正位相生成部１５３に出力する。
【０１１５】
このような処理が行われている一方で、セグメント情報生成部１５４は、図８Ｄに示すようなセグメント情報を生成し、補正位相生成部１５３に供給する。セグメント情報は、図８Ｄ中、左から順に、３，２，１,０，―１，―２，―３が割り当てられたデータである。
【０１１６】
補正位相生成部１５３には、シンボル番号＃２のセグメントが処理対象とされているとき、図８Ｃと図８Ｄに示したデータが供給される。補正位相生成部１５３は、初期化タイミング生成部１５２からのフラグが下がっているため、初期化のタイミングではないことを認識し、位相補償量を補正するための補正量を出力する。すなわちこの場合、図８Ｅに示したように、図中左から順に、２φ，０，２φ，０，−２φ，０，−２φという補正量が生成され、位相回転補正部１５５に出力される。
【０１１７】
この補正量は、セグメント情報生成部１５４からのセグメント情報に２φを乗算した値として求めることができる。また、この２φという値は、パイロット配置がパターン２であることが検出されており、ＳＰ位相検出部１５１から、図８Ｂに示すように“２”という情報が出力されているため、この２とφを乗算した値として算出することができる。
【０１１８】
この場合、図８Ｄに示すように、セグメント情報生成部１５４からのセグメント情報は、３，２，１，０，−１，−２，−３である。これらに２φを乗算すると、６φ，４φ，２φ，０，−２φ，−４φ，−６φとなるが、４φ＝０なので、２φ，０，２φ，０，−２φ，０，−２φとなり、図８Ｅに示した補正量となる。
【０１１９】
位相回転補正部１５５には、図８Ａに示したセグメントのシンボルと、図８Ｅに示した補正量が供給される。位相回転補正部１５５は、図８Ａに示した各セグメントのシンボルを、図８Ｅに示したデータを補正量として、回転補正して、出力する。出力されるシンボルは、図８Ｆに示すように、回転補正がされた結果、位相補償量が０となったシンボルである。
【０１２０】
シンボル番号＃２のセグメントが処理された後、シンボル番号＃３のセグメントが処理される。シンボル番号＃３のセグメントは、図８Ａのシンボル番号＃３のところに示すように、図８Ａ中、左から順に、−φ，−２φ，−３φ，０，３φ，２φ，φの位相補償量を有するセグメントである。
【０１２１】
このとき、ＳＰ位相検出部１５１は、パイロット配置のパターンとして、パターン３を検出する。よって、図８Ｂに示すように、ＳＰ位相検出部１５１は、“３”を表すデータを、初期化タイミング生成部１５２に出力する。
【０１２２】
初期化タイミング生成部１５２は、位相補償量が、４シンボル周期であり、パターン３が入力されたことに対応し、図８Ｃに示したように、フラグを下げた信号を補正位相生成部１５３に出力する。
【０１２３】
このような処理が行われている一方で、セグメント情報生成部１５４は、図８Ｄに示すようなセグメント情報を生成し、補正位相生成部１５３に供給する。セグメント情報は、図８Ｄ中、左から順に、３，２，１,０，―１，―２，―３が割り当てられたデータである。
【０１２４】
補正位相生成部１５３には、シンボル番号＃３のセグメントが処理対象とされているとき、図８Ｃと図８Ｄに示したデータが供給される。補正位相生成部１５３は、初期化タイミング生成部１５２からのフラグが下がっているため、初期化のタイミングではないことを認識し、位相補償量を補正するための補正量を出力する。すなわちこの場合、図８Ｅに示したように、図中左から順に、φ，２φ，３φ，０，―３φ，―２φ，―φという補正量が生成され、位相回転補正部１５５に出力される。
【０１２５】
この補正量は、セグメント情報生成部１５４からのセグメント情報に３φを乗算した値として求めることができる。また、この３φという値は、パイロット配置がパターン３であることが検出されており、ＳＰ位相検出部１５１から、図８Ｂに示すように“３”という情報が出力されているため、この３とφを乗算した値として算出することができる。
【０１２６】
この場合、図８Ｄに示すように、セグメント情報生成部１５４からのセグメント情報は、３，２，１，０，−１，−２，−３である。これらに３φを乗算すると、９φ，６φ，３φ，０，−３φ，−６φ，−９φとなるが、４φ＝０なので、φ，２φ，３φ，０，−３φ，−２φ，−φとなり、図８Ｅに示した補正量となる。
【０１２７】
位相回転補正部１５５には、図８Ａに示したセグメントのシンボルと、図８Ｅに示した補正量が供給される。位相回転補正部１５５は、図８Ａに示した各セグメントのシンボルを、図８Ｅに示したデータを補正量として、回転補正して、出力する。出力されるシンボルは、図８Ｆに示すように、回転補正がされた結果、位相補償量が０となったシンボルである。
【０１２８】
シンボル番号＃３のセグメントが処理された後、シンボル番号＃４のセグメントが処理される。シンボル番号＃４のセグメントは、図８Ａのシンボル番号＃４ところに示すように、図８Ａ中、左から順に、０，０，０，０，０，０，０の位相補償量を有するセグメントである。
【０１２９】
すなわちこの場合、位相補償量は、４シンボル周期なので、シンボル番号＃４は、シンボル番号＃０のセグメントと同じ位相補償量となる。よって処理は、シンボル番号＃０のセグメントが処理される場合と同様なので、その説明は省略する。
【０１３０】
このように、連結送信されてきたセグメントに対する位相が補正される。
【０１３１】
＜初期化のタイミングの設定に係わる処理＞
さらに、図９に示したフローチャートを参照し、補正部１５０の処理、特に初期化（同期）のタイミングの設定に係わる処理について説明を加える。
【０１３２】
ステップＳ１１において、補正部１５０は、セグメントを取得する。上記してきた例では、連結された７個のセグメントが取得される。ステップＳ１２において、初期化タイミング生成部１５２は、位相補償なしか否かを判断する。
【０１３３】
図４を参照して説明したように、例えば、モード１のＧＩ４などは、補償なしである。初期化タイミング生成部１５２は、図示していない処理部から供給されるモードやガードインターバル比の情報（パラメータの情報）から、取得されたセグメントは、補償なしのセグメントであるか否かを判断する。
【０１３４】
ステップＳ１２において、補償なしであると判断された場合、初期化の設定に関する処理は終了される。一方、ステップＳ１２において、補償なしではないと判断された場合、ステップＳ１３に処理は進められる。
【０１３５】
ステップＳ１３において、初期化タイミング生成部１５２は、図示していない処理部からのパラメータの情報により、位相補償量の周期は、２シンボル周期であるか否かを判断する。
【０１３６】
ステップＳ１３において、位相補償量の周期は、２シンボル周期ではないと判断された場合、ステップＳ１４に処理が進められる。ステップＳ１４において、位相補償量の周期は、４シンボル周期であるか否かが判断される。ステップＳ１４において、位相補償量の周期は、４シンボル周期であると判断された場合、ステップＳ１５に処理が進められる。
【０１３７】
ステップＳ１５において、初期化タイミング生成部１５２は、ＳＰ位相検出部１５１からの出力が、入力されたセグメントに含まれるパイロット信号の配置のパターンは、パターン０であることを示しているか否かを判断する。ステップＳ１５においてパイロット配置のパターンは、パターン０ではないと判断された場合、ステップＳ１６に処理が進められる。
【０１３８】
ステップＳ１６において、次のセグメントが処理され、その処理されたセグメントに含まれるパイロット配置のパターンは、パターン０であるか否かが、ステップＳ１５において判断される。すなわち、パイロット配置のパターンがパターン０であると判断されるまで、順次供給されるセグメントが処理される。
【０１３９】
ステップＳ１５において、パイロット配置のパターンは、パターン０であると判断された場合、ステップＳ１７に処理は進められる。この場合、位相補償量の周期は４シンボル周期であり、パイロット配置のパターンが、パターン０であるため、上記したように、初期化のタイミングが設定されるタイミングである。
【０１４０】
よって、ステップＳ１７において、初期化タイミング生成部１５２は、初期化のタイミングを設定する。この設定は、図８を参照して説明したように、初期化タイミング生成部１５２から、初期化のタイミングであることを示すフラグが立てられた信号が補正位相生成部１５３に供給されることで行われる。
【０１４１】
一方、ステップＳ１３において、位相補償量の周期は、２シンボル周期であると判断された場合、ステップＳ１８に処理が進められる。ステップＳ１８において、パイロット配置のパターンは、パターン０またはパターン２であるか否かが判断される。
【０１４２】
位相補償量の周期が、２シンボル周期である場合、パイロット配置のパターンがパターン０またはパターン２のとき、初期化のタイミングが設定される。よって、ステップＳ１８においては、パイロット配置のパターンがパターン０またはパターン２であるか否かが判断される。
【０１４３】
また、位相補償量の周期が、２シンボル周期であり、パイロット配置のパターンがパターン０またはパターン２の場合、初期化タイミング生成部１５２は、フラグを立てた信号を出力する。
【０１４４】
ステップＳ１８において、パイロット配置のパターンがパターン０でもなく、パターン２でもないと判断された場合、ステップＳ１９に処理が進められる。ステップＳ１９において、次のセグメントが処理され、その処理されたセグメントに含まれるパイロット配置のパターンは、パターン０またはパターン２であるか否かが、ステップＳ１８において判断される。すなわち、パイロット配置のパターンがパターン０またはパターン２であると判断されるまで、順次供給されるセグメントが処理される。
【０１４５】
ステップＳ１８において、パイロット配置のパターンがパターン０またはパターン２であると判断された場合、ステップＳ１７に処理が進められる。上記したように、ステップＳ１７において、初期化のタイミングが設定される。この場合、位相補償量の周期が２シンボル周期であるため、２シンボル毎に、位相補償量が０となる。この位相補償量が０となるタイミングで、初期化のタイミングが設定されることになる。
【０１４６】
一方、ステップＳ１４において、位相補償量の周期は、４シンボル周期ではないと判断された場合、ステップＳ２０に処理が進められる。ステップＳ２０に処理が進められる場合、位相補償量の周期は、８シンボル周期であると判断されたときである。よって、ステップＳ２０においては、TMCCが用いられて、初期化のタイミングが設定される。
【０１４７】
このようにして、初期化のタイミングが設定される。よって、位相補償量の周期が２シンボル周期または４シンボル周期のときには、TMCCの情報を用いたときよりも、初期化のタイミングを設定するまでの時間を大幅に短縮させることが可能となる。このように、復調内でのシンボル番号情報を利用することで、同期を高速化することができる。
【０１４８】
＜初期化のタイミングの他の設定に係わる設定部の構成と処理＞
ところで、上記した実施の形態においては、パイロット配置のパターンがパターン０またはパターン２のときに、換言すれば、連結されているセグメントの各セグメントの位相補償量が０のときを検出し、初期化のタイミングを設定したが、パイロット配置のパターンがパターン０乃至３のいずれのパターンのときでも、初期化のタイミングを設定できるようにしても良い。
【０１４９】
例えば、位相補償量の周期が４シンボル周期の場合、４シンボル周期のうちの１シンボル目がパイロット配置のパターン０に対応し、２シンボル目がパターン１に対応し、３シンボル目がパターン２に対応し、４シンボル目がパターン３に対応しているとする。このような対応関係があるため、所定のセグメントの位相補償量に注目すると、例えば、パイロット配置のパターン０の場合、位相補償量は０、パターン１の場合、位相補償量はφ、パターン２の場合、位相補償量は２φ、パターン３の場合、位相補償量は３φとの関係も導き出せる。
【０１５０】
この関係を利用し、例えば、パイロット配置のパターンがパターン０の場合、位相補償量は０であるため、補正量として０が設定され、位相回転補正が行われるようにする。同様に、パイロット配置のパターンがパターン１の場合、位相補償量はφであるため、補正量が-φとされ、パイロット配置のパターンがパターン２の場合、位相補償量は２φであるため、補正量が−２φとされ、パイロット配置のパターンがパターン３の場合、位相補償量は３φであるため、補正量が−３φとされ、それぞれ位相回転補正が行われるようにする構成とすることもできる。
【０１５１】
このような処理を行うように構成した場合の補正部１５０の構成を図１０に示し、そのような構成した場合の処理について、図１１のフローチャートを参照して説明する。
【０１５２】
図１０は、補正部２００の他の構成を示す図である。図７に示した補正部１５０と区別を付けるために、補正部２００と記述する。図１０に示した補正部２００の構成は、図７に示した補正部１５０の構成から、初期化タイミング生成部１５２を削除した構成とされている。図７と同一の部分には、同一の符号を付し、その説明は省略する。
【０１５３】
図１０に示した補正部２００は、ＳＰ位相検出部１５１から、直接、補正位相生成部１５３にパターンに関する情報が入力されるような構成とされている。
【０１５４】
図１１に示したフローチャートを参照し、図１０に示した補正部２００の処理について説明する。ステップＳ３１において、補正部１５０は、セグメントを取得する。ステップＳ３２において、補正位相生成部１５３は、位相補償なしか否かを判断する。
【０１５５】
ステップＳ３２において、補償なしであると判断された場合、初期化の設定に関する処理は終了される。一方、ステップＳ３２において、補償なしではないと判断された場合、ステップＳ３３に処理は進められる。
【０１５６】
ステップＳ３３において、図示していない処理部からのパラメータの情報により、位相補償量の周期は、２シンボル周期であるか否かが判断される。
【０１５７】
ステップＳ３３において、位相補償量の周期は、２シンボル周期ではないと判断された場合、ステップＳ３４に処理が進められ、位相補償量の周期は、４シンボル周期であるか否かが判断される。ステップＳ３４において、位相補償量の周期は、４シンボル周期であると判断された場合、ステップＳ３５に処理が進められる。
【０１５８】
ステップＳ３５において、パイロット配置のパターンが判断される。この判断結果が用いられ、ステップＳ３６において、パターンに応じた補正量が生成される。この場合、位相補償量の周期が４シンボル周期であるため、上記したように、４シンボル周期のときの位相補償量に対応し、各セグメントに対応した補正量が生成される。生成された補正量が用いられて、回転補正が行われる。
【０１５９】
一方、ステップＳ３３において、位相補償量の周期は、２シンボル周期であると判断された場合、ステップＳ３７に処理が進められる。ステップＳ３７において、パイロット配置のパターンが判断される。この判断結果が用いられ、ステップＳ３８において、パターンに応じた補正量が生成される。
【０１６０】
この場合、位相補償量の周期が２シンボル周期であるため、２シンボル周期のときの位相補償量に対応し、各セグメントに対応した補正量が生成される。生成された補正量が用いられて、回転補正が行われる。
【０１６１】
一方、ステップＳ３４において、位相補償量の周期は、４シンボル周期ではないと判断された場合、ステップＳ３９に処理が進められる。ステップＳ３９に処理が進められる場合、位相補償量の周期は、８シンボル周期であると判断されたときである。よって、ステップＳ３９においては、TMCCが用いられて、初期化のタイミングが設定される。
【０１６２】
このようにして、初期化のタイミングが設定される。よって、位相補償量の周期が２シンボル周期または４シンボル周期のときには、TMCCの情報を用いたときよりも、初期化のタイミングを設定するまでの時間を大幅に短縮させることが可能となる。
【０１６３】
またこの場合、受信したセグメントの位相補償量に対応する補正量を、セグメントを受信した直後に生成できる。よって、受信されたセグメントの回転補正を、セグメントを受信した直後に開始できることになり、さらに初期化（同期）のタイミングを早めることが可能となる。
【０１６４】
上述した実施の形態においては、パイロット配置のパターンが４パターンである場合を例に挙げて説明したため、位相補償量が８シンボル周期の場合には、TMCCの情報から、初期化のタイミングが決定されるとして説明した。
【０１６５】
パイロット配置のパターンが、８パターンあるような既知の信号を用いた場合、位相補償量が８シンボル周期の場合にも、８シンボル周期中のどのシンボルが処理されているのかが判別つけられるように構成することが可能である。よって、既知の信号として、８パターン以上のパターンが含まれる信号を用いるように構成し、上記した４シンボル周期や２シンボル周期の場合と同じく処理するように構成することも可能である。
【０１６６】
このように、本技術によれば、既知の信号を用いて同期を行うことができ、同期までに係る時間を短縮することが可能となる。
【０１６７】
＜記録媒体について＞
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１６８】
図１２は、上述した一連の処理をプログラムにより実行するコンピュータのハードウエアの構成例を示すブロック図である。コンピュータにおいて、ＣＰＵ（Central Processing Unit）３０１、ＲＯＭ（Read Only Memory）３０２、ＲＡＭ（Random Access Memory）３０３は、バス３０４により相互に接続されている。バス３０４には、さらに、入出力インタフェース３０５が接続されている。入出力インタフェース３０５には、入力部３０６、出力部３０７、記憶部３０８、通信部３０９、およびドライブ３１０が接続されている。
【０１６９】
入力部３０６は、キーボード、マウス、マイクロフォンなどよりなる。出力部３０７は、ディスプレイ、スピーカなどよりなる。記憶部３０８は、ハードディスクや不揮発性のメモリなどよりなる。通信部３０９は、ネットワークインタフェースなどよりなる。ドライブ３１０は、磁気ディスク、光ディスク、光磁気ディスク、または半導体メモリなどのリムーバブルメディア３１１を駆動する。
【０１７０】
以上のように構成されるコンピュータでは、ＣＰＵ３０１が、例えば、記憶部３０８に記憶されているプログラムを、入出力インタフェース３０５およびバス３０４を介して、ＲＡＭ３０３にロードして実行することにより、上述した一連の処理が行われる。
【０１７１】
コンピュータ（ＣＰＵ３０１）が実行するプログラムは、例えば、パッケージメディア等としてのリムーバブルメディア３１１に記録して提供することができる。また、プログラムは、ローカルエリアネットワーク、インターネット、デジタル衛星放送といった、有線または無線の伝送媒体を介して提供することができる。
【０１７２】
コンピュータでは、プログラムは、リムーバブルメディア３１１をドライブ３１０に装着することにより、入出力インタフェース３０５を介して、記憶部３０８にインストールすることができる。また、プログラムは、有線または無線の伝送媒体を介して、通信部３０９で受信し、記憶部３０８にインストールすることができる。その他、プログラムは、ＲＯＭ３０２や記憶部３０８に、あらかじめインストールしておくことができる。
【０１７３】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１７４】
また、本明細書において、システムとは、複数の装置により構成される装置全体を表すものである。
【０１７５】
なお、本明細書に記載された効果はあくまで例示であって限定されるものでは無く、また他の効果があってもよい。
【０１７６】
なお、本技術の実施の形態は、上述した実施の形態に限定されるものではなく、本技術の要旨を逸脱しない範囲において種々の変更が可能である。
【０１７７】
なお、本技術は以下のような構成も取ることができる。
【０１７８】
（１）
位相補償されているセグメントが複数連結されたセグメントの前記位相補償を補正する補正部
を備え、
前記補正部は、
既知信号の位相に基づき、前記位相補償量を初期化するタイミングを生成するタイミング生成部と、
前記既知信号の位相に基づき、前記位相補償の位相補償量を補正するための補正量を生成する補正量生成部と、
前記補正量生成部により生成された前記補正量で、前記位相補償に対する位相補正を行う位相補正部と
を備える受信装置。
（２）
前記既知信号の位相は、複数のパターンを有し、
前記タイミング生成部は、前記複数のパターンのうちの所定のパターンを検出したとき、前記初期化するタイミングを生成する
前記（１）に記載の受信装置。
（３）
前記既知信号は、パイロット信号であり、前記パターンは、ＳＰ（Scattered Pilot）が配置されている位置により分類されるパターンである
前記（２）に記載の受信装置。
（４）
前記位相補償量は、所定の周期毎に０となり、
前記タイミング生成部は、０となるタイミングを、前記所定のパターンを検出することで検出する
前記（２）または（３）に記載の受信装置。
（５）
前記位相補償量の前記所定の周期は、送信パラメータにより異なり、
前記タイミング生成部は、前記送信パラメータにより特定される前記所定の周期で前記位相補償量が０となるタイミングを、前記所定のパターンを検出することで検出する
前記（２）乃至（４）のいずれかに記載の受信装置。
（６）
前記パラメータは、モードとガードインターバル比である
前記（５）に記載の受信装置。
（７）
前記連結されたセグメントは、ISDB-TmmまたはISDB-Tsbの規格に基づき連結されたセグメントである
前記（１）乃至（６）のいずれかに記載の受信装置。
（８）
前記連結されたセグメントは、ISDB-TmmまたはISDB-Tsbの規格におけるタイプＢスーパーセグメントである
前記（１）乃至（６）のいずれかに記載の受信装置。
（９）
位相補償されているセグメントが複数連結されたセグメントの前記位相補償を補正する補正部を備える受信装置の受信方法において、
前記補正部は、
既知信号の位相に基づき、前記位相補償量を初期化するタイミングを生成し、
前記既知信号の位相に基づき、前記位相補償の位相補償量を補正するための補正量を生成し、
前記補正量生成部により生成された前記補正量で、前記位相補償に対する位相補正を行う
ステップを含む受信方法。
（１０）
位相補償されているセグメントが複数連結されたセグメントの前記位相補償を補正する補正部を備える受信装置を制御するコンピュータに、
前記補正部が、
既知信号の位相に基づき、前記位相補償量を初期化するタイミングを生成し、
前記既知信号の位相に基づき、前記位相補償の位相補償量を補正するための補正量を生成し、
前記補正量生成部により生成された前記補正量で、前記位相補償に対する位相補正を行う
処理を実行させるためのコンピュータ読み取り可能なプログラム。
（１１）
位相補償されているセグメントが複数連結されたセグメントの前記位相補償を補正する補正部
を備え、
前記補正部は、
既知信号の位相に基づき、前記位相補償の位相補償量を補正するための補正量を生成する補正量生成部と、
前記補正量生成部により生成された前記補正量で、前記位相補償に対する位相補正を行う位相補正部と
を備える受信装置。
（１２）
位相補償されているセグメントが複数連結されたセグメントの前記位相補償を補正する補正部を備える受信装置の受信方法において、
前記補正部は、
既知信号の位相に基づき、前記位相補償の位相補償量を補正するための補正量を生成し、
前記補正量生成部により生成された前記補正量で、前記位相補償に対する位相補正を行う
ステップを含む受信方法。
（１３）
位相補償されているセグメントが複数連結されたセグメントの前記位相補償を補正する補正部を備える受信装置を制御するコンピュータに、
前記補正部が、
既知信号の位相に基づき、前記位相補償の位相補償量を補正するための補正量を生成し、
前記補正量生成部により生成された前記補正量で、前記位相補償に対する位相補正を行う
処理を実行させるためのコンピュータ読み取り可能なプログラム。
【符号の説明】
【０１７９】
１２１  ＦＦＴ部，  １５０  補正部，  １５１  ＳＰ位相検出部，  １５２  初期化タイミング生成部，  １５３  補正位相生成部，  １５４  セグメント情報生成部，  １５５  位相回転補正部，  ２００  補正部
【図１】
2015088761.tif 000003
【図２】
2015088761.tif 000004
【図３】
2015088761.tif 000005
【図４】
2015088761.tif 000006
【図５】
2015088761.tif 000007
【図６】
2015088761.tif 000008
【図７】
2015088761.tif 000009
【図８】
2015088761.tif 000010
【図９】
2015088761.tif 000011
【図１０】
2015088761.tif 000012
【図１１】
2015088761.tif 000013
【図１２】
2015088761.tif 000014